(57)【特許請求の範囲】
【請求項１】
ファンネルと、前記ファンネルに装着された蓋とを備えている排水設備において、
前記蓋が透明な材料で作られ、且つ、前記蓋の内面が湾曲して形成され、
前記蓋に加工したねじ孔と、前記ねじ孔に螺合するねじ込みプラグと、前記ねじ込みプラグのねじの途中部分と前記ねじ込みプラグの底部との間に貫通した通気孔と、を備えたことを特徴とする排水設備。
【請求項２】
請求項１において、前記蓋の形状がドーム型であることを特徴とする排水設備。
【請求項３】
ファンネルと、前記ファンネルに装着された蓋とを備えている排水設備において、
前記蓋が透明な材料で作られ、且つ、前記蓋の内面が湾曲して形成され、
前記蓋は外周囲に突き出たリング状の鍔を備え、前記鍔と前記ファンネルの上端との間にはリング状にシール材を備え、前記鍔の上部にはリング状の板を備え、前記ファンネルにはファンネル蓋固定金具を前記板にたいして脱着自在にして備えていることを特徴とする排水設備。
【請求項４】
請求項３において、前記蓋の形状がドーム型であることを特徴とする排水設備。
【請求項５】
請求項４において、前記蓋に加工したねじ孔と、前記ねじ孔に螺合するねじ込みプラグと、前記ねじ込みプラグのねじの途中部分と前記ねじ込みプラグの底部との間に貫通した通気孔と、を備えたことを特徴とする排水設備。
【発明の詳細な説明】
【技術分野】
【０００１】
本発明は、ファンネルを備えた排水設備に関するものである。
【背景技術】
【０００２】
原子力発電所においては、原子力発電プラントに発生した排水をドレンタンク等に排水するために排水設備を備えている。その排水設備には、排水の流れる配管流路の途中に排水の受け皿となるファンネルが設置されている。
【０００３】
そのファンネルを経由して排水がドレンタンク等へ排水されている。そのファンネルには上端に蓋がシール材を介して開閉自在に備わり、ファンネル内部の流れの状況を確認するにはその蓋を開く必要があるが、蓋を開けると、排水がファンネルの外に飛散する不具合がある。特にその排水に放射性物質が含まれている場合には好ましくない。
【０００４】
ファンネルの蓋を閉じたままファンネル内を監視する手段として、特許文献１，２に開示されている構造が知られている。特許文献１，２には、ファンネルの蓋を構成する材料に透明な材料が用いられ、蓋を外さないでファンネル内が目視で監視できること、及び蓋に備えたブリーザ管でファンネル内外の圧力を均等方向に調整することが解説されている。また、蓋には、蓋の内面を拭き払うワイパを設け、蓋の内面に付着して監視のための視界を妨げる排水液滴等の拭き払う構成も特許文献１，２に開示されている。
【０００５】
【特許文献１】特開平１１−１５２７９０号公報
【特許文献２】特開２００３−１４８６８１号公報
【発明の開示】
【発明が解決しようとする課題】
【０００６】
特許文献１，２による排水設備におけるファンネルは、ファンネルの蓋として、ワイパ付きの蓋を用いるので、蓋に付着した排水等の付着物を拭き払い、ファンネル内の目視を確実にする。
【０００７】
しかし、蓋にワイパを回転自在に取付けると言う複雑な構成を採用し、且つその回転部分の蓋に対する貫通部分については排水が漏洩しないように更に複雑な構成を採用せざる得ない。更に、ワイパの性能を保証するために、その部分を保守点検対象とせざる得ない。
【０００８】
従って、本発明の目的は、排水設備に採用されているファンネルの内部をワイパを採用することなく確実に目視できるようにすることにある。
【課題を解決するための手段】
【０００９】
本発明の目的を達成するための手段は、ファンネルと、前記ファンネルに装着された蓋とを備えている排水設備において、前記蓋が透明な材料で作られ、且つ、前記蓋の内面が湾曲して形成され、前記蓋に加工したねじ孔と、前記ねじ孔に螺合するねじ込みプラグと、前記ねじ込みプラグのねじの途中部分と前記ねじ込みプラグの底部との間に貫通した通気孔と、を備えたことを特徴とする排水設備である。
【００１０】
好ましくは、前記蓋の形状がドーム型であることを特徴とする排水設備である。
【００１１】
更に好ましくは、上記各排水設備のいずれかにいて、前記蓋に加工したねじ孔と、前記ねじ孔に螺合するねじ込みプラグと、前記ねじ込みプラグのねじの途中部分と前記ねじ込みプラグの底部との間に貫通した通気孔と、を備えたことを特徴とする排水設備である。
更に一層好ましくは、上記各排水設備のいずれかにいて、前記蓋は外周囲に突き出たリング状の鍔を備え、前記鍔と前記ファンネルの上端との間にはリング状にシール材を備え、前記鍔の上部にはリング状の板を備え、前記ファンネルにはファンネル蓋固定金具を前記板にたいして脱着自在にして備えていることを特徴とする排水設備である。
【００１２】
排水設備のファンネルの蓋が透明であるから、ファンネル内の蓋を開けることなく視認することができ、且つ排水物の飛散を防止することが出来る上、更に、蓋を閉じた状態で蓋内面に付着した付着物を蓋内面の湾曲面に沿って容易に流下させるためにワイパを採用せずに視認を確実に成せる。
【００１３】
また、蓋の形状にドーム型を採用している場合には、蓋内面に付着した付着物をそのドーム形状に沿って中央部から周辺部へ容易に流下させるためにワイパを採用せずに視認を確実に成せる。
【００１４】
更に、蓋に採用したねじ込みプラグのねじの途中部分と前記ねじ込みプラグの底部との間に貫通した通気孔を備えるものにおいては、ねじ込みプラグを抜く方向へ回転させると、ねじ込みプラグが完全に蓋側のねじ込みから外れる前に通気孔の一端が蓋の外側雰囲気に通じ、密閉状態による流体の飛散防止状態から、蓋を開くことなくファンネル内外の圧力均等化による排水性の促進に寄与できる状態へと切り替えることが出来る。しかも、その際には、ねじ込みプラグを完全に抜き去る必要が無いので、ねじ込みプラグの紛失防止等の管理や、排水の飛散防止が行い易い。
【００１５】
蓋の鍔上部に置いたリング状の板とファンネルとの間に設けたファンネル蓋固定金具で、蓋の鍔とファンネルとの間のシール材をファンネルと鍔とに密着させるものにおいては、蓋によるファンネルに対する密閉性が良くなるので、排水設備の排水漏洩が防止される。
【発明の効果】
【００１６】
本発明によれば、排水設備のファンネルの蓋に拭き払い手段を採用せずにファンネル外からファンネル内への視界を広くはっきりと確保できるうえ、且つファンネル内を蓋の開閉を伴わずに視認できるので、ファンネル内の監視を、排水物の飛散を恐れることなく、確実に成せる。
【発明を実施するための最良の形態】
【００１７】
原子力発電所の原子力発電プラントには、建屋として原子炉建屋７や図示していないタービン建屋等が存在している。各建屋には原子力発電プラントの配管９や原子力発電プラントの機器から排水を行う排水設備が設置されている。
【００１８】
その排水設備の一例を原子力発電プラントの配管９で例示すると図３のとおりである。即ち、図３において、原子炉建屋７内に設置されている原子力発電プラントの配管９には、配管９内の液体を排水するためのドレン配管８の一端が接続されている。ドレン配管８には図示していない弁が装備されている。
【００１９】
ドレン配管８の他端は、排水設備のファンネル６に接続されている。そのファンネル６は、配管９の排水位置よりも低所において、原子炉建屋７の床に設置されている。このファンネル６の上端には、開閉自在な蓋１が設けられている。このファンネル６には、ドレン配管１１の一端が接続され、その他端はタンク１０に接続されている。そのタンク１０はファンネル６の設置位置よりの低所の原子炉建屋７内に設置されている。
【００２０】
ファンネル６の蓋１は、図１や図２のように、内面が湾曲したドーム状の形状になっている。蓋１の外周囲には、リング状の鍔１６が水平に突き出ている。その鍔１６の下面にはリング状の溝１７が形成され、その溝１７にリング状のシール材５が嵌め込まれている。
【００２１】
この蓋１は透明なプラスチック材料にて作られていて、蓋１の内側がその外側から目視で見ることが出来る。この蓋１の全体を透明なプラスチック材料にて作り、且つ形状をドーム状にすることで、外部からの照明光がファンネル６内に差し込み易く、ファンネル６内の視認性が良くなる。
【００２２】
ドーム形状の蓋１の天頂部には、上下方向に貫通したねじ孔１２が形成され、そのねじ孔１２の内面には雌ねじ１３が形成されている。その雌ねじ１３に螺合する雄ネジ１４を形成したねじ込みプラグ２は通気孔１５が内部に形成されている。通気孔１５の一端はねじ込みプラグ２の底部に開口し、他端は雄ねじ１３部の途中部位、好ましくは雄ネジ１３部の上部からねじピッチにして３ピッチ下方の部位、に開口している。
【００２３】
３は、リング板状のファンネル蓋固定リングである。このファンネル蓋固定リングには、リング周方向へ均等角度９０度ごとにひときわ突き出たフック部１８を備え、そのフック部のフック形状は端部が上に向いた形状となっている。
【００２４】
４は、ファンネル蓋固定金具であり、ファンネル６の側面に周方向へ均等角度９０度ごとに取付けたブラケット１９と、そのブラケット１９に上下回転自在に取付けたループ状の引っ掛けリング２０とを備え、引っ掛けリング２０の回転端部はフック部１８に引っ掛けられたり外されたりして脱着自在である。
【００２５】
このような蓋１は、図２に示すように、溝１７に嵌められたシール材５がファンネル６の上端に接するようにしてファンネル６に被せられる。その蓋１の鍔１６の上部にはファンネル蓋固定リング３が置かれ、そのファンネル蓋固定リング３のフック部１８にファンネル蓋固定金具４の引っ掛けリング２０が引っ掛けられ、シール材５の溝１７に対してとファンネル６の上端に対しての密着が維持されるとともに、蓋１が勝手にファンネル６からずれたり外れたりしないようにされる。引っ掛けリング２０をフック部１８から外すことで蓋１をファンネル６から外せば、ファンネル６の上端は開かれる。このように、蓋１はファンネル６に開閉自在である。
【００２６】
このようにファンネル６の上端に設置された蓋１には、ねじ孔１２の雌ねじ１３にねじ込みプラグ２の雄ねじ１４を螺合させて、ねじ孔１２をねじ込みプラグ２で閉鎖する。この閉鎖状態においては、雄ねじ１４部に開口した通気孔１５の開口部はねじ孔１２の雌ねじ１３によって塞がれて排水がその通気孔１５を通じて漏れでにくい状態にされる。
【００２７】
このねじ込みプラグ２を上方へ抜き出る方向に回転させて行くと、雄ねじ１４部に開口した通気孔１５の開口部は雌ねじ１３よりの上方へ移動するので、通気開放状態となる。この様な通気開放状態では、ファンネル６内の圧力がファンネル６外の圧力と均等に近づいて、液体が排水し易い状況と成る。
【００２８】
このような通気開放状態においても、このねじ込みプラグ２の雄ねじ１４部の一部分は雌ねじ１３部分に螺合しているので、蓋１にねじ込みプラグ２をねじで一体化して管理できる。このことは、ねじ込みプラグ２をねじ孔１２から完全に抜き取って管理するのに比べてねじ込みプラグ２の紛失等のリスクが低い。
【００２９】
このようなファンネル６は、蓋１が閉じられている図１の状態で、排水設備の各ドレン配管８，１１の間に排水を中継するように用いられる。即ち、原子力発電プラントの配管９内の液体を排水する場合には、ドレン配管８の図示していない弁を開いて配管９内の液体をドレン配管８内に重力で流し落とす。ドレン配管８内を流下してきた液体はファンネル６内に流入して受け入れられ、そこからドレン配管１１内に流れ入って重力によりタンク１０内に流れ落ちる。
【００３０】
その排水すべき配管９内の液体に放射性物質などの危険物質が含まれている場合には、ねじ込みプラグ２の雄ねじ１４部を全部雌ねじ１３部分にねじ込んで、閉鎖状態とする。このようにして、通気孔１５から排水が液体のまま或いは蒸気となって或いは揮発して排水に含まれている危険物質がファンネル６の外側に飛散する事を避け、安全を確保する。
【００３１】
その排水すべき配管９内の液体に危険物質が含まれていない場合には、ねじ込みプラグ２を逆に上方へ移動する方向に回転させて通気開放状態にする。このようにすると、ファンネル６内の圧力が負圧状態からファンネル６外の大気圧状態に近づくので排水性が良くなる。このようにして、本実施例のファンネル６は、排水設備が取扱う排水の性状が如何様でも柔軟に対応して取扱うことが出来る。
【００３２】
このような配管９からの排水作業中には、排水状態を確認するためにファンネル６に蓋１を取付けた状態でファンネル６の内部を外部から蓋１越しに目視で監視して排水状態を確認し、排水状態及び排水完了の確認を行う。
【００３３】
排水作業中においては、蓋１内面に排水が付着して目視によるファンネル６内の監視が行いにくい傾向になるが、この実施例では、ドーム形状の蓋１の内面が湾曲した曲面を成しているので、蓋１の内面に付着した排水はその湾曲した曲面に沿って流下して目視のための視界が良好に確保できる。
【００３４】
そのため、ワイパを蓋１に装着する必要が無く、その分、ファンネル６内を目視する際の視界が広く、蓋１のドーム形状も手伝って照明もファンネル６内に入りやすく、ファンネル６内の目視に適する。
【００３５】
このように、本発明の実施例によれば、ファンネル６の内部の視認を行う際にファンネル６の蓋１を透明にすることで蓋１を開いてファンネル６の上端を開放することなく内部の視認を可能にし、排水物の外への飛散を防止することが出来る。これにより外部への飛散対策として行う養生の必要性が無くなることになる。排水物がファンネル６の蓋１の内面に付着した場合において、その蓋１の形状をドーム型としていることから、付着した排水物を流下させることが出来る形状として視界を良好に保つ。そのため、ワイパなどの拭き払い手段を用いることなく簡単な構成でファンネル６内の目視の視界を良好に維持できる。
【００３６】
通気孔１５を備えたねじ込みプラグ２を回転操作することで、排水性を高めたり危険物質の漏洩を防いだり、排水の性状により使い分けられる。
【００３７】
排水が漏洩しても危険の無い場合には、蓋１からねじ込みプラグ２を完全に抜き差って排水性能を向上させるように用いても差し支え無い。
【産業上の利用可能性】
【００３８】
本発明は、排水設備に利用可能性がある。
【図面の簡単な説明】
【００３９】
【図１】本発明の一実施例による排水設備におけるファンネルの蓋近傍の縦断面図である。
【図２】図１に示したファンネルの蓋の分解説明図である。
【図３】原子力発電所の原子炉建屋における本発明の一実施例による排水設備の設置状態を示した建屋縦断面図である。
【符号の説明】
【００４０】
１  蓋
２  ねじ込みプラグ
３  ファンネル蓋固定リング
４  ファンネル蓋固定金具
５  シール材
６  ファンネル
７  原子炉建屋
８，１１  ドレン配管
９  配管
１０  タンク
【図１】
0005033500.tif 000002
【図２】
0005033500.tif 000003
【図３】
0005033500.tif 000004